【手続補正書】
【提出日】平成17年8月19日(2005.8.19)
【手続補正１】
【補正対象書類名】明細書
【補正対象項目名】全文
【補正方法】変更
【補正の内容】
【書類名】        明細書
【発明の名称】    比色計等の測定セルの使用方法
【特許請求の範囲】
【請求項１】比色計等に装着されて光が照射される比色計等の測定セルの測定セル容器を、容器内を仕切り板により縦方向に２つの区分に仕切るとともに前記２つの区分の間を連通し、また少なくとも一方の前記区分の上部に開口部を設けて形成し、前記測定セル容器内に反応試薬を収容し、前記開口部より検体を採取したキャピラリーを前記一方の区分内に挿入収納して前記測定セル容器内で前記反応試薬と前記検体を混合反応させて被検液とし、さらに前記一方の区分に前記キャピラリーを収納したままで前記比色計等に装着されて他方の前記区分に前記光が照射される比色計等の測定セルの使用方法。
【請求項２】比色計等に装着されて光が照射される比色計等の測定セルの測定セル容器を、容器内を仕切り板により縦方向に２つの区分に仕切るとともに前記２つの区分の間を連通し、また少なくとも一方の前記区分の上部に開口部を設けるとともに前記開口部をキャップまたはシールによって開放または密閉自在に形成し、前記測定セル容器内に予め反応試薬を収容し、前記キャップまたはシールを外して前記開口部より検体を採取したキャピラリーを前記一方の区分内に挿入収納し、前記キャップまたはシールを装着して前記開口部を密閉した状態で前記測定セル容器を振って前記測定セル容器内で前記反応試薬と前記検体を混合反応させて被検液とし、さらに前記一方の区分に前記キャピラリーを収納したままで前記比色計等に装着されて他方の前記区分に前記光が照射される比色計等の測定セルの使用方法。
【発明の詳細な説明】
【０００１】
【発明の属する技術分野】
本発明は、比色計等の測定セルの使用方法に関するものである。
【０００２】
【従来の技術】
比色計や色濁計や分光光度計およびヘモクロビンメータ等の測定装置にあっては、検体と反応試薬を混合反応させた被検液を、透明な材料で形成した測定セル内に収容し、この測定セルを測定装置に装着する。そして、測定セルに収容された被検液に、光を照射して適宜にその光を透過や反射または屈折させて、被検液の吸光度や透過率や色の濃度などが測定される。
【０００３】
この測定セル内に収容させる被検液は、キャピラリーで採取した検体と反応試薬とを試験管内等でよく混合反応させ、キャピラリーを除いてこの混合液のみを被検液として測定セル内に移し替えていた。
【０００４】
【発明が解決しようとする課題】
そこで、検体と反応試薬を試験管内などで混合反応させて被検液とし、この被検液を測定セル内に移し替える手間が煩雑であるとともに、移し替える際に被検液を誤って零してしまう虞があった。しかも、検体が感染性のある血液等であるならば、被検液を零さぬように極めて注意深く作業しなければならない。
【０００５】
本発明は、かかる従来技術の事情に鑑みてなされたもので、検体と反応試薬の混合が容易であり、しかもこの混合された被検液を移し替える手間を必要としない比色計等の測定セルの使用方法を提供することを目的とする。
【０００６】
【課題を解決するための手段】
かかる目的を達成するために、本発明の比色計等の測定セルの使用方法は、比色計等に装着されて光が照射される比色計等の測定セルの測定セル容器を、容器内を仕切り板により縦方向に２つの区分に仕切るとともに前記２つの区分の間を連通し、また少なくとも一方の前記区分の上部に開口部を設けて形成し、前記測定セル容器内に反応試薬を収容し、前記開口部より検体を採取したキャピラリーを前記一方の区分内に挿入収納して前記測定セル容器内で前記反応試薬と前記検体を混合反応させて被検液とし、さらに前記一方の区分に前記キャピラリーを収納したままで前記比色計等に装着されて他方の前記区分に前記光が照射されて使用される。
【０００７】
また、比色計等に装着されて光が照射される比色計等の測定セルの測定セル容器を、容器内を仕切り板により縦方向に２つの区分に仕切るとともに前記２つの区分の間を連通し、また少なくとも一方の前記区分の上部に開口部を設けるとともに前記開口部をキャップまたはシールによって開放または密閉自在に形成し、前記測定セル容器内に予め反応試薬を収容し、前記キャップまたはシールを外して前記開口部より検体を採取したキャピラリーを前記一方の区分内に挿入収納し、前記キャップまたはシールを装着して前記開口部を密閉した状態で前記測定セル容器を振って前記測定セル容器内で前記反応試薬と前記検体を混合反応させて被検液とし、さらに前記一方の区分に前記キャピラリーを収納したままで前記比色計等に装着されて他方の前記区分に前記光が照射されて使用されても良い。
【０００８】
【発明の実施の形態】
以下、本発明の比色計等の測定セルの使用方法の実施例で用いる測定セルにつき、図１ないし図７を参照して説明する。図１は、本発明で用いる比色計等の測定セルの外観図であり、（ａ）は正面図、（ｂ）は側面図である。図２は、図１（ｂ）のＡ−Ａ矢視断面図である。図３は、図１（ａ）のＢ−Ｂ矢視断面図である。図４は、図１（ａ）のＣ−Ｃ矢視断面図である。図５は、図１（ａ）のＤ−Ｄ矢視断面図である。図６は、キャップの外観図であり、（ａ）は平面図、（ｂ）は正面図、（ｃ）は側面図である。図７は、測定セルの外観斜視図である。
【０００９】
図において、測定セル容器１０は、例えば透明なポリカーボネートにより樹脂成形され、上端部が開口された縦長の水平断面が略長方形となる角型の容器状に構成される。さらに、測定セル容器１０の内部が、縦方向の仕切り板１２により２つの区分１４，１６に仕切られる。この２つの区分１４，１６の一方の区分１４は、他方の区分１６に比較して幅が狭く設けられる。なお、仕切り板１２の下側部分にて、適宜な切り欠きが設けられ、２つの区分１４，１６が連通されている。そして、上端部の開口部には、ゴム材からなるキャップ１８が着脱自在で、圧入して装着した状態で開口部が密閉されるようになされる。本発明の比色計等の測定セルは、測定セル容器１０と仕切り板１２およびキャップ１８で構成されている。
【００１０】
かかる構成において、図７に示すごとく、測定セル容器１０内に適宜な反応試薬２０が予め収容されて、キャップ１８で密閉された状態とされる。図示しない比色計等に、この測定セルが装着されると、測定セル容器１０の幅が広い他方の区分１６の下側部分が測定ポイント２２として、光が照射されるように構成されている。
【００１１】
次に、上記測定セルの使用方法につき図８ないし図１０を参照して説明する。図８は、検体をキャピラリーで採取する手順を示す。図９は、検体を採取したキャピラリーを測定セル内に挿入収容する手順を示す。図１０は、測定セルをキャップで密閉した状態で良く振って、検体と反応試薬を混合反応させる図である。図１１は、測定装置に装着される状態の測定セルの縦断面図である。
【００１２】
まず、図８のごとく血液等の検体３０にキャピラリー３２を近づけ、キャピラリー３２の毛細管現象により、キャピラリー３２に所定量の検体３０を採取する。そして、検体３０を採取したキャピラリー３２を、図９のごとく、予め反応試験２０が収容された測定セル容器１０からキャップ１８を取り外して、測定セル容器１０の幅の狭い区分１４に挿入収容させる。さらに、再びキャップ１８を測定セル容器１０の開口部に圧入して開口部を密閉し、図１０のごとく、良く振って、キャピラリー３２の検体３０と反応試薬２０を良く混合反応させて被検液３４とする。ここで、２つの区分１４，１６は連通しているので、測定セル容器１０内の２つの区分１４，１６で混合液が容易に拡散して均等となり、被検液３４が生成される。
【００１３】
そして、検体３０と反応試薬２０が良く混合されて被検液３４が生成された状態で、測定セルが比色計等の測定装置に装着されるが、図１１に示すごとく、キャピラリー３２は幅の狭い区分１４にあり、測定セル容器１０の幅の広い区分１６の光が照射される測定ポイント２２にキャピラリー３２が位置することはない。よって、キャピラリー３２が測定セル容器１０内に収容されたままであっても、被検液３４の測定に何ら不具合はない。
【００１４】
図１２は、本発明で用いる測定セルの測定セル容器の開口部を密閉する他の構造を示す図である。図１２に示す構造は、測定セル容器１０の上端の開口部の縁に、粘着部を有するシール２４を着脱自在として、開口部を開放と密閉自在としたものである。
【００１５】
なお、上記実施例において、測定セル容器１０は水平断面が略長方形の角セルに形成されることで、測定セル容器１０に対して測定ポイント２２に照射される光の位置がずれても光の透過長さが大きく変化せず、大きな測定誤差を生ずることがない。しかし、光の照射する位置がずれないならば、水平断面が円形であっても良い。そして、上記実施例では、測定セル容器１０の全体が透明であるが、測定セル容器１０は、光が照射される測定ポイント２２となる部分が少なくとも透明であれば良く、他の部分が透明でなくても良いことは、容易に理解し得るであろう。また、測定セル容器１０内を２つの区分１４，１６に仕切る仕切り板１２は、キャピラリー３２が測定ポイント２２側に移動しないように規制できれば、いかなる構造であっても良く、上記実施例に限られない。しかも、２つの区分１４，１６の大きさは、被検液３４の測定に支障がなければ上記実施例に限定されることはなく、２つの区分１４，１６の大きさが同じであっても良く、またキャピラリー３２が収容される区分１４の幅が広く、測定ポイント２２となる区分１６の幅が狭くても良い。さらに、仕切り板１２による２つの区分１４，１６が適宜に連通していれば混合液は２つの区分１４，１６に均等に拡散し得る。そこで、上記実施例のごとく、仕切り板１２の下側部分に切り欠きを設けたものに限られず、仕切り板１２に適宜な孔を穿設しまたは仕切り板１２を網状部材で形成しても良い。そしてまた、上記実施例では、予め反応試薬２０を測定セル容器１０内に収容して、キャップ１８またはシール２４で密閉しておくが、測定セル容器１０内にキャピラリー３２を挿入収容すると同時に反応試薬２０を測定セル容器１０内に収容させるようにしても良いことは勿論である。そしてさらに、検体３０は血液に限られず、比色計等による測定が有益であるならば、いかなるものであっても良い。ここで、検体３０に応じて反応試薬２０が適宜に選定されることは勿論である。
【００１６】
【発明の効果】
以上説明したように、本発明の比色計等の測定セルの使用方法にあっては、以下のごとき格別な効果を奏する。
【００１７】
請求項１記載の比色計等の測定セルの使用方法は、測定セル容器内が仕切り板で２つの区分に仕切られるとともに２つの区分の間を被検液が移動自在とされるので、一方の区分に挿入されたキャピラリーの検体が反応試薬と混合反応した混合液である被検液が測定セル容器内に均等に拡散される。そして、キャピラリーが挿入されない他の区分を光を照射させる測定ポイントとすることで、キャピラリーに邪魔されることなしに被検液を測定できる。ここで、検体と反応試薬を測定セル容器内で混合することができ、従来の試験管内等で混合した被検液を測定セル内に移し替える手間が省かれ、それだけ作業が容易であるとともに、移し替える際に被検液を零す虞がない。
【００１８】
請求項２記載の比色計等の測定セルの使用方法は、測定セル容器の開口部がキャップまたはシールで開放または密閉自在としたので、反応試薬を予め収容しておくことができる。そして、検体を採取したキャピラリーを測定セル容器内に挿入収容して、開口部をキャップまたはシールで密閉して、容易かつ確実に検体と反応試薬を混合して被検液とすることができる。この混合の際に、反応試薬および混合された被検液を零す虞がない。
【図面の簡単な説明】
【図１】
本発明で用いる比色計等の測定セルの外観図であり、（ａ）は正面図、（ｂ）は側面図である。
【図２】
図１（ｂ）のＡ−Ａ矢視断面図である。
【図３】
図１（ａ）のＢ−Ｂ矢視断面図である。
【図４】
図１（ａ）のＣ−Ｃ矢視断面図である。
【図５】
図１（ａ）のＤ−Ｄ矢視断面図である。
【図６】
キャップの外観図であり、（ａ）は平面図、（ｂ）は正面図、（ｃ）は側面図である。
【図７】
測定セルの外観斜視図である。
【図８】
検体をキャピラリーで採取する手順を示す。
【図９】
検体を採取したキャピラリーを測定セル内に挿入収容する手順を示す。
【図１０】
測定セルをキャップで密閉した状態で良く振って、検体と反応試薬を混合反応させる図である。
【図１１】
測定装置に装着される状態の測定セルの縦断面図である。
【図１２】
本発明で用いる測定セルの測定セル容器の開口部を密閉する他の構造を示す図である。
【符号の説明】
１０  測定セル容器
１２  仕切り板
１４，１６  区分
１８  キャップ
２０  反応試薬
２２  測定ポイント
２４  シール
３０  検体
３２  キャピラリー
３４  被検液